(57)【要約】【課題】入力線の接続構造を簡易化して作業性を向上させるとともに、外部から組立状態を直接確認できる、負荷時タップ切換器のタップ選択器を提供する。【解決手段】絶縁軸４は、長手方向に一端および他端を有する。第１入力線は、絶縁軸４の外側面に沿って長手方向に延在して第１切換開閉器端子１４と偶数側集電接点６Ａとを電気的に接続する。第２入力線は、絶縁軸４の外側面に沿って長手方向に延在して第２切換開閉器端子１４と奇数側第２集電接点６Ｂとを電気的に接続する。第１集電接点６Ａは、第１集電接点６Ａにおける第２入力線が延在する位置に対応した孔部を有している。第２入力線は、絶縁軸４の周方向において第１入力線とは間隔を置いて配置されて孔部に挿通している。【選択図】図１
2011187889.tif 000002
【特許請求の範囲】
【請求項１】
変圧器の巻線から引出された複数のタップの中から１つのタップを選択することにより、選択されたタップと負荷時タップ切換器の切換開閉器とを接続する負荷時タップ切換器のタップ選択器であって、
長手方向に一端および他端を有する絶縁軸と、
前記絶縁軸の前記一端側に取付けられ、前記絶縁軸の外側において前記絶縁軸の周方向に延びる第１集電接点と、
前記第１集電接点から前記長手方向に間隔を置いて前記絶縁軸の前記他端側に取付けられ、前記絶縁軸の外側において前記絶縁軸の周方向に延びる第２集電接点と、
前記絶縁軸を中心として前記第１集電接点の周辺の同一円周上に互いに間隔を置いて配置され、対応するタップにそれぞれ接続される複数の第１固定接点と、
前記絶縁軸を中心として前記第２集電接点の周辺の同一円周上に互いに間隔を置いて配置され、対応するタップにそれぞれ接続される複数の第２固定接点と、
前記絶縁軸を中心として前記第１集電接点の周辺の同一円周上を前記第１集電接点に摺接して移動することができ、前記複数の第１固定接点から選択された１つの第１固定接点と前記第１集電接点とを接続する第１可動接点と、
前記絶縁軸を中心として前記第２集電接点の周辺の同一円周上を前記第２集電接点に摺接して移動することができ、前記複数の第２固定接点から選択された１つの第２固定接点と前記第２集電接点とを接続する第２可動接点と、
前記絶縁軸の外側面に沿って前記長手方向に延在して前記第１集電接点に接続されるとともに、前記絶縁軸の前記一端から引出されて負荷電流が入力される第１入力線と、
前記絶縁軸の外側面に沿って前記長手方向に延在して前記第２集電接点に接続されるとともに、前記絶縁軸の前記一端から引出されて負荷電流が入力される第２入力線と、
を備え、
前記第１集電接点は、前記第１集電接点における前記第２入力線が延在する位置に対応した孔部を有し、
前記第２入力線は、前記絶縁軸の周方向において前記第１入力線とは間隔を置いて配置されて前記孔部に挿通している、負荷時タップ切換器のタップ選択器。
【請求項２】
前記第１集電接点と前記絶縁軸とに共に前記絶縁軸の径方向に挿通することにより、前記第１集電接点を前記絶縁軸に取付けている第１連結ピンと、
前記第２集電接点と前記絶縁軸とに共に前記絶縁軸の径方向に挿通することにより、前記第２集電接点を前記絶縁軸に取付けている第２連結ピンと、
を備え、
前記第１集電接点および前記絶縁軸のそれぞれは、前記第１連結ピンが挿通される第１ピン用孔を有し、
前記第２集電接点および前記絶縁軸のそれぞれは、前記第２連結ピンが挿通される第２ピン用孔を有している、請求項１に記載の負荷時タップ切換器のタップ選択器。
【請求項３】
前記第１入力線および前記第２入力線のそれぞれは、外表面を絶縁性材料により被覆されていることにより、前記第１集電接点および前記第２集電接点との絶縁距離を確保している、請求項１または２に記載の負荷時タップ切換器のタップ選択器。
【請求項４】
前記第２集電接点の形状が前記第１集電接点の形状と同一である、請求項１から３のいずれかに記載の負荷時タップ切換器のタップ選択器。
【発明の詳細な説明】
【技術分野】
【０００１】
本発明は、負荷時タップ切換器のタップ選択器に関する。
【背景技術】
【０００２】
従来の負荷時タップ切換器のタップ選択器の構造を開示した先行文献として、特許文献１がある。特許文献１には、発明として、図１，２に示す構造を有する負荷時タップ切換器のタップ選択器と、従来技術として、図４，５の構造の構造を有する負荷時タップ切換器のタップ選択器が記載されている。
【０００３】
上記の従来の負荷時タップ切換器のタップ選択器においては、可動接触子が、接続導体および他相の導通部分に干渉することなく、集電板の集電面を摺動して固定接触子との間を移動することができる。
【０００４】
特許文献１の図１，２に示す構造を有する従来の負荷時タップ切換器のタップ選択器においては、接続導体は、集電板の上面に突設された接続接触子に固定されて水平方向に引出され、タップ選択器の外側に導出された切換開閉器と接続されている。可動アームおよび可動接触子は、可動接触子が動作する際に接続導体と干渉しないように、接続導体の下方に配置されて絶縁軸に固定されている。
【０００５】
特許文献１の図４，５に示す構造を有する従来の負荷時タップ切換器のタップ選択器においては、集電リングを取付けた絶縁筒の内側に接続導体を設けている。接続導体は絶縁筒の内側を通されて切換開閉器と接続されている。可動接触子は、絶縁軸と同心軸上で回転する絶縁駆動板に固定されて、接続導体と干渉することなく移動可能にされている。
【先行技術文献】
【特許文献】
【０００６】
【特許文献１】実開昭６１−１０６０２０号公報
【発明の概要】
【発明が解決しようとする課題】
【０００７】
特許文献１の図１，２に示す構造を有する負荷時タップ切換器のタップ選択器においては、接続導体をタップ選択器の外側に引出す際、固定接触子の近傍を接続導体が通過する構造となるため、絶縁性の観点から問題があった。
【０００８】
特許文献１の図４，５に示す構造を有する負荷時タップ切換器のタップ選択器においては、接続導体を絶縁筒の内側に配置していることにより、組立の際に、接続導体にＬ型端子をつけたまま絶縁筒に挿入したり、Ｌ型端子を手探りの状態で透孔から導出して集電リングに接続するなど組立性が悪いため、タップ選択器の製造コストが増加する問題があった。さらに、接続導体が絶縁筒の内側に配置されているので、組立後に接続導体の状態を確認することができないという問題があった。
【０００９】
本発明は上記の問題点に鑑みなされたものであって、入力線を簡易な構造で各可動接点の動作に干渉することなく集電接点に接続可能とするとともに、作業性を向上させることで製造コストの低減を図ることができ、外部から組立状態を直接確認できる、負荷時タップ切換器のタップ選択器を提供することを目的とする。
【課題を解決するための手段】
【００１０】
この発明に係る負荷時タップ切換器のタップ選択器は、変圧器の巻線から引出された複数のタップリードの中から１つのタップリードを選択することにより、選択されたタップと切換開閉器とを接続する負荷時タップ切換器のタップ選択器である。負荷時タップ切換器のタップ選択器は、絶縁軸と第１集電接点と第２集電接点と第１固定接点と第２固定接点と第１可動接点と第２可動接点と第１入力線と第２入力線とを備えている。絶縁軸は、長手方向に一端および他端を有する。第１集電接点は、絶縁軸の一端側に取付けられ、絶縁軸の外側において絶縁軸の周方向に延びている。第２集電接点は、第１集電接点から長手方向に間隔を置いて絶縁軸の他端側に取付けられ、絶縁軸の外側において絶縁軸の周方向に延びている。第１固定接点は、絶縁軸を中心として第１集電接点の周辺の同一円周上に互いに間隔を置いて配置されている。第２固定接点は、絶縁軸を中心として第２集電接点の周辺の同一円周上に互いに間隔を置いて配置されている。第１可動接点は、絶縁軸を中心として第１集電接点の周辺の同一円周上を第１集電接点に摺接して移動することができ、複数の第１固定接点から選択された１つの第１固定接点と第１集電接点とを接続している。第２可動接点は、絶縁軸を中心として第２集電接点の周辺の同一円周上を第２集電接点に摺接して移動することができ、複数の第２固定接点から選択された１つの第２固定接点と第２集電接点とを接続している。第１入力線は、絶縁軸の外側面に沿って長手方向に延在して、一端を第１集電接点に接続されるとともに、他端がゼネバギア機構部を貫通して切換開閉器の端子に電気的に接続される。第２入力線は、絶縁軸の外側面に沿って長手方向に延在して、一端を第２集電接点に接続されるとともに、他端がゼネバギア機構部を貫通して切換開閉器の端子に電気的に接続される。第１集電接点は、第１集電接点における第２入力線が延在する位置に対応した孔部を有している。第２入力線は、絶縁軸の周方向において第１入力線とは間隔を置いて配置されて孔部に挿通している。
【発明の効果】
【００１１】
この発明は、上述のような課題を解決するためになされたもので、入力線を絶縁軸の外側面に沿って長手方向に延在して集電接点に接続するとともに、絶縁軸の一端から引出すことにより、入力線を簡易な構造で各可動接点の動作に干渉することなく接続可能とするとともに、製造コストの低減を図ることができ、外部から組立状態を直接確認できる、負荷時タップ切換器のタップ選択器を得るものである。
【図面の簡単な説明】
【００１２】
【図１】本発明の一実施形態に係る負荷時タップ切換器の構成を模式的に示す側面図である。
【図２】同実施形態に係る負荷時タップ切換器のタップ選択器における集電接点部分の構造を模式的に示す斜視図である。
【図３】図１のＩＩＩ−ＩＩＩ線矢印方向から見た断面図である。
【図４】同実施形態に係る変圧器の巻線のタップと負荷時タップ切換器との電気的接続を模式的に示す図である。
【図５】同実施形態に係る入力線の構造を模式的に示す断面図である。
【発明を実施するための形態】
【００１３】
以下、本発明の一実施形態に係る負荷時タップ切換器のタップ選択器について図面を参照して説明する。
【００１４】
図１は、本発明の一実施形態に係る負荷時タップ切換器の構成を模式的に示す側面図である。図２は、本実施形態に係る負荷時タップ切換器のタップ選択器における集電接点部分の構造を模式的に示す斜視図である。図３は、図１のＩＩＩ−ＩＩＩ線矢印方向から見た断面図である。なお、図３においては、説明の便宜上、後述する連結ピン１８を断面図に表記している。
【００１５】
負荷時タップ切換器は、変圧器の巻線の複数のタップの中から一つのタップを選択するための装置である。本実施形態においては、変圧器の巻線側からタップリードを介してタップ選択器３に負荷電流が通流される。負荷電流は、変圧器の巻線から引出されたタップリードを経由し、タップ選択器３、切換開閉器２、変圧器の巻線の順に流れる。タップ選択器３においては、固定接点９は、奇数側タップ群に接続される奇数側固定接点群と、偶数側タップ群に接続される偶数側固定接点群との２つの群に分割されている。ここで、タップとは、変圧器巻線の途中に設けられた引出し接続点であって、変圧器のタップは、タップリードにより固定接点に接続されている。
【００１６】
図１に示すように、本発明の一実施形態に係る負荷時タップ切換器１においては、タップ選択器３の上方に切換開閉器２が配置されている。
【００１７】
切換開閉器２は、導通状態での回路切換を行なう機能を有している。切換開閉器２の外側面に配置された切換開閉器端子１４には、タップ選択器３の入力線１１が接続される。
【００１８】
図１〜３に示すように、タップ選択器３は、絶縁軸４と第１集電接点である奇数側集電接点６Ａと第２集電接点である偶数側集電接点６Ｂと第１固定接点である奇数側固定接点９Ａと第２固定接点である偶数側固定接点９Ｂと第１可動接点である奇数側可動接点７Ａと第２可動接点である偶数側可動接点７Ｂと第１入力線である入力線１１Ａと第２入力線である入力線１１Ｂとを備えている。
【００１９】
絶縁軸４は、タップ選択器３において、長手方向が鉛直方向となるように配置され、一端である上端と他端である下端とを有している。絶縁軸４は、絶縁性材料から形成されており、たとえば、エポキシ樹脂を含むガラス繊維強化プラスチックで形成されている。
【００２０】
絶縁軸４には、所定の間隔を置いて複数の集電接点６が取付けられている。集電接点６は、導電性材料から形成されている。上記のように、タップは奇数側タップ群と偶数側タップ群に分割されているため、電源１相当たり２つの集電接点６が必要となる。
【００２１】
本実施形態においては、３相電源で使用されるため、タップ選択器３は、６つの集電接点６Ａ，６Ｂ，６Ｃ，６Ｄ，６Ｅ，６Ｆを有している。たとえば、１相目の電流が入力される集電接点が、奇数側集電接点６Ａと偶数側集電接点６Ｂである。２相目の電流が入力される集電接点が、奇数側集電接点６Ｃと偶数側集電接点６Ｄである。３相目の電流が入力される集電接点が、奇数側集電接点６Ｅと偶数側集電接点６Ｆである。
【００２２】
集電接点６において、絶縁軸４の上端側に取付けられた集電接点６を第１集電接点とし、第１集電接点に対して絶縁軸４の下端側に取付けられた集電接点６を第２集電接点とする。
【００２３】
以下、奇数側集電接点６Ａを第１集電接点とし、偶数側集電接点６Ｂを第２集電接点として説明するが、第１集電接点と第２集電接点とはこの組合せに限られない。
【００２４】
図２に示すように、奇数側集電接点６Ａは、絶縁軸４の上端側に取付けられ、絶縁軸４の外側において絶縁軸４の周方向に延びている。偶数側集電接点６Ｂは、奇数側集電接点６Ａから長手方向に間隔を置いて絶縁軸４の下端側に取付けられ、絶縁軸４の外側において絶縁軸４の周方向に延びている。
【００２５】
本実施形態においては、図３に示すように、絶縁軸４を中心として、絶縁軸４の周辺の同一円周上に６本の固定接点用軸１７が、互いに間隔を置いて配置されている。また、奇数側固定接点群および偶数側固定接点群がそれぞれ６つの固定接点９から構成されている。ただし、上記の固定接点用軸１７の数は６本に限られない。固定接点用軸１７は、絶縁性材料から形成されている。
【００２６】
固定接点用軸１７には、絶縁軸４における集電接点６の取付位置に対応するように、固定接点９が所定の間隔を置いて取付けられている。１本の固定接点用軸１７には、集電接点６と同じ６つの固定接点９が取付けられている。固定接点９は、銅などの導電性材料から形成されている。
【００２７】
奇数側集電接点６Ａに対応するように設けられた固定接点９を奇数側固定接点９Ａとし、偶数側集電接点６Ｂに対応するように設けられた固定接点９を偶数側固定接点９Ｂとする。他の固定接点も同様に、奇数側固定接点９Ｃは奇数側集電接点６Ｃに対応し、偶数側固定接点９Ｄは偶数側集電接点６Ｄに対応し、奇数側固定接点９Ｅは奇数側集電接点６Ｅに対応し、偶数側固定接点９Ｆは偶数側集電接点６Ｆに対応している。
【００２８】
図３に示すように、奇数側固定接点９Ａは、絶縁軸４を中心として奇数側集電接点６Ａの周辺の同一円周上に互いに間隔を置いて配置され、対応する変圧器巻線のタップリードがそれぞれ接続される。奇数側固定接点９Ａには、変圧器巻線のタップリードをボルトで固定するためのねじ穴が形成されている。
【００２９】
本実施形態においては、奇数側固定接点群は６つの固定接点(１，３，５，７，９，１１番目の固定接点)から構成されている。そのため、奇数側固定接点９Ａは、１番目のタップリードに接続される奇数側固定接点９Ａ1と、３番目のタップリードに接続される奇数側固定接点９Ａ3と、５番目のタップリードに接続される奇数側固定接点９Ａ5と、７番目のタップリードに接続される奇数側固定接点９Ａ7と、９番目のタップリードに接続される奇数側固定接点９Ａ9と、１１番目のタップリードに接続される奇数側固定接点９Ａ11とから構成されている。
【００３０】
偶数側固定接点９Ｂは、絶縁軸４を中心として偶数側集電接点６Ｂの周辺の同一円周上に互いに間隔を置いて配置され、対応する変圧器巻線のタップリードがそれぞれ接続される。偶数側固定接点９Ｂには、変圧器巻線のタップリードをボルトで固定するためのねじ穴が形成されている。
【００３１】
偶数側固定接点群は６つの固定接点(２，４，６，８，１０，１２番目の固定接点)から構成されている。そのため、偶数側固定接点９Ｂは、２番目のタップリードに接続される偶数側固定接点９Ａ2と、４番目のタップリードに接続される偶数側固定接点９Ａ4と、６番目のタップリードに接続される偶数側固定接点９Ａ6と、８番目のタップリードに接続される偶数側固定接点９Ａ8と、１０番目のタップリードに接続される偶数側固定接点９Ａ10と、１２番目のタップリードに接続される偶数側固定接点９Ａ12とから構成されている。
【００３２】
図１に示すように、絶縁軸４を中心として絶縁軸４の周辺の同一円周上に２本の奇数側可動接点７Ａ用と偶数側可動接点７Ｂ用の２本の可動接点用軸８が設けられている。可動接点用軸８は、絶縁軸４と固定接点用軸１７との間に設けられている。可動接点用軸８は、絶縁軸４を中心に固定接点用軸１７間を周回することができるように設けられている。
【００３３】
一方の可動接点用軸８Ａには、奇数タップリード群に接続される３つの奇数側固定接点９Ａ，９Ｃ，９Ｅに対応するように、３つの奇数側可動接点７Ａ，７Ｃ，７Ｅが取付けられている。奇数側可動接点７Ａは奇数側固定接点９Ａに対応し、奇数側可動接点７Ｃは奇数側固定接点９Ｃに対応し、奇数側可動接点７Ｅは奇数側固定接点９Ｅに対応している。
【００３４】
他方の可動接点用軸８Ｂには、偶数タップリード群に接続される３つの偶数側固定接点９Ｂ，９Ｄ，９Ｆに対応するように、偶数側可動接点７Ｂ、７Ｄ、７Ｆが取付けられている。偶数側可動接点７Ｂは偶数側固定接点９Ｂに対応し、偶数側可動接点７Ｄは偶数側固定接点９Ｄに対応し、偶数側可動接点７Ｆは偶数側固定接点９Ｆに対応している。
【００３５】
図３に示すように、奇数側可動接点７Ａは、絶縁軸４を中心として奇数側集電接点６Ａの周辺の同一円周上を奇数側集電接点６Ａに摺接して移動することができる。奇数側可動接点７Ａが移動することにより、奇数側固定接点９Ａ側において投入と離脱とを交互に行なうことができる。その結果、奇数側可動接点７Ａは、複数の奇数側固定接点(９Ａ1，９Ａ3，９Ａ5，９Ａ7，９Ａ9，９Ａ11)から選択された１つの奇数側固定接点９Ａと奇数側集電接点６Ａとを接続している。
【００３６】
偶数側可動接点７Ｂは、絶縁軸４を中心として偶数側集電接点６Ｂの周辺の同一円周上を偶数側集電接点６Ｂに摺接して移動することができる。偶数側可動接点７Ｂが移動することにより、偶数側固定接点９Ｂ側において投入と離脱とを交互に行なうことができる。その結果、複数の偶数側固定接点(９Ｂ2，９Ｂ4，９Ｂ6，９Ｂ8，９Ｂ10，９Ｂ12)から選択された１つの偶数側固定接点９Ｂと偶数側集電接点６Ｂとを接続している。
【００３７】
図１に示すように、タップ選択器３の上部には、上部フレーム１２が配置されている。タップ選択器３の下部には、下部フレーム１３が配置されている。絶縁軸４は、上部フレーム１２および下部フレーム１３に固定されている。固定接点用軸１７は、上部フレーム１２および下部フレーム１３により固定されている。
【００３８】
切換開閉器２とタップ選択器３との間に、ゼネバギア機構部５が配置されている。タップ選択器３の側部には、副切換器１５が配置されている。副切換器１５は、負荷時タップ切換器１の電圧調整範囲を増加させる機能を有している。図示はしないが、副切換器１５には、副切換器の固定接点および可動接点が設けられ、さらに、固定接点が取付けられる固定接点用軸および可動接点が取付けられる可動接点用軸が設けられている。副切換器１５の固定接点用軸は、上部フレーム１２および下部フレーム１３に固定されている。
【００３９】
タップ選択器３の可動接点用軸８および副切換器１５の可動接点用軸は、ゼネバギア機構部５に接続されている。ゼネバギア機構部５によってタップ選択器３の可動接点用軸８が駆動されることにより、可動接点７が移動する。可動接点用軸８Ａと可動接点用軸８Ｂとは別々に駆動されるため、奇数側可動接点７Ａ，７Ｃ，７Ｅと偶数側可動接点７Ｂ，７Ｄ，７Ｆとは別々に移動する。また、ゼネバギア機構部５によって副切換器１５の可動接点用軸が駆動されることにより、副切換器１５の可動接点が移動する。
【００４０】
図１，２に示すように、切換開閉器２とタップ選択器３においては、対応する集電接点６と切換開閉器端子１４との間をそれぞれ１本の入力線１１で電気的に接続される。６本の入力線１１が設けられており、入力線１１Ａは奇数側集電接点６Ａに、入力線１１Ｂは偶数側集電接点６Ｂに、入力線１１Ｃは奇数側集電接点６Ｃに、入力線１１Ｄは偶数側集電接点６Ｄに、入力線１１Ｅは奇数側集電接点６Ｅに、入力線１１Ｆは偶数側集電接点６Ｆに接続されている。ここで、第１集電接点である奇数側集電接点６Ａに接続されている入力線１１Ａを第１入力線とし、第２集電接点である偶数側集電接点６Ｂに接続されている入力線１１Ｂを第２入力線とする。
【００４１】
なお、入力線１１と集電接点６とを接続するために、接続端子１０がそれぞれの集電接点６に設けられている。たとえば、接続端子１０は、ボルトにて入力線１１を集電接点６に固定する構造であり、入力線１１を挟持するとともに、入力線１１と集電接点６とを電気的に接続している。
【００４２】
図４は、本実施形態に係る変圧器の巻線のタップと負荷時タップ切換器１との電気的接続を模式的に示す図である。図４においては、３相のうちの１相分のみ記載している。図４に示すように、変圧器の巻線２０から複数のタップリード１６が引出されている。タップリード１６は、奇数側タップリード群(１６Ａ1，１６Ａ3，１６Ａ5，１６Ａ7，１６Ａ9，１６Ａ11)と偶数側タップリード群(１６Ｂ2，１６Ｂ4，１６Ｂ6，１６Ｂ8，１６Ｂ10，１６Ｂ12)とに分割されている。
【００４３】
タップリード１６は、それぞれに対応する固定接点９に接続される。奇数側可動接点７Ａは、これらの奇数側固定接点９Ａのいずれかを選択して奇数側集電接点６Ａと接続している。偶数側可動接点７Ｂは、偶数側固定接点９Ｂのいずれかを選択して偶数側集電接点６Ｂと接続している。奇数側可動接点７Ｃは、奇数側固定接点９Ｃのいずれかを選択して奇数側集電接点６Ｃと接続している。偶数側可動接点７Ｄは、偶数側固定接点９Ｄのいずれかを選択して偶数側集電接点６Ｄと接続している。奇数側可動接点７Ｅは、奇数側固定接点９Ｅのいずれかを選択して奇数側集電接点６Ｅと接続している。偶数側可動接点７Ｆは、偶数側固定接点９Ｆのいずれかを選択して偶数側集電接点６Ｆと接続している。
【００４４】
切換開閉器２は、入力線１１Ａに接続された切換開閉器端子１４と、入力線１１Ｂに接続された切換開閉器端子１４と、入力線１１Ｃに接続された切換開閉器端子１４と、入力線１１Ｄに接続された切換開閉器端子１４と、入力線１１Ｅに接続された切換開閉器端子１４と、入力線１１Ｆに接続された切換開閉器端子１４とを、導通状態で切り換えることができる。
【００４５】
図１〜３に示すように、入力線１１Ａは、絶縁軸４の外側面に沿って長手方向に延在して奇数側集電接点６Ａに接続されるとともに、ゼネバギア機構部５の上端まで引出され、切換開閉器端子１４Ａに入力される。入力線１１Ｂは、絶縁軸４の外側面に沿って長手方向に延在して偶数側集電接点６Ｂに接続されるとともに、ゼネバギア機構部５の上端まで引出され、切換開閉器端子１４Ｂに入力される。入力線１１Ｂは、絶縁軸４の周方向において入力線１１Ａとは間隔を置いて配置されている。
【００４６】
入力線１１Ｂが偶数側集電接点６Ｂから絶縁軸４の上端まで絶縁軸４の外側面に沿って長手方向に延在するためには、入力線１１Ｂは奇数側集電接点６Ａを通過する必要がある。そのため、奇数側集電接点６Ａには、奇数側集電接点６Ａにおける入力線１１Ｂが延在する位置に対応した孔部１９Ｂを有している。入力線１１Ｂは、奇数側集電接点６Ａの孔部１９Ｂに挿通している。
【００４７】
本実施形態においては、６本の入力線１１が設けられているため、奇数側集電接点６Ａには、５つの孔部１９が設けられている。上記のように孔部１９Ｂには入力線１１Ｂが挿通し、孔部１９Ｃには入力線１１Ｃが挿通し、孔部１９Ｄには入力線１１Ｄが挿通し、孔部１９Ｅには入力線１１Ｅが挿通し、孔部１９Ｆには入力線１１Ｆが挿通している。
【００４８】
偶数側集電接点６Ｂには、４つの孔部１９が設けられている。孔部１９のそれぞれには、入力線１１Ｃ、入力線１１Ｄ、入力線１１Ｅ、入力線１１Ｆが挿通されている。奇数側集電接点６Ｃには、３つの孔部１９が設けられている。孔部１９のそれぞれには、入力線１１Ｄ、入力線１１Ｅ、入力線１１Ｆが挿通されている。偶数側集電接点６Ｄには、２つの孔部１９が設けられている。孔部１９のそれぞれには、入力線１１Ｅ、入力線１１Ｆが挿通されている。奇数側集電接点６Ｅには、１つの孔部１９が設けられている。孔部１９には、入力線１１Ｆが挿通されている。偶数側集電接点６Ｆには、孔部１９は設けられていない。
【００４９】
ただし、偶数側集電接点６Ｂの形状が奇数側集電接点６Ａの形状と同一であるようにしてもよい。言い換えると、すべての集電接点６の形状を奇数側集電接点６Ａの形状に統一してもよい。このようにした場合、すべての集電接点６には５つの孔部１９が設けられている。よって、集電接点６を組付ける際に、集電接点６の対応関係によらず集電接点６を組付けることができるため、組み付け作業を容易にすることができる。
【００５０】
図２，３に示すように、集電接点６と絶縁軸４とは、絶縁軸４の径方向に連結ピン１８を集電接点６と絶縁軸４とに共に挿通することにより連結されている。そのため、絶縁軸４には、集電接点６が取付けられる位置に対応して、連結ピン１８が挿通されるピン用孔が設けられている。集電接点６には、連結ピン１８が挿通されるピン用孔が設けられている。連結ピン１８と、集電接点６および絶縁軸４のピン用孔とは、互いに嵌合するようにそれぞれの寸法が設定されている。また、本実施形態においては、集電接点６と絶縁軸４とが連結ピン１８により連結されているが、集電接点６が絶縁軸４に対して回転しないように、かつ、他の集電接点６など他の電位部に対して十分な絶縁性能を確保できる固定方法により集電接点６と絶縁軸４とを連結してもよい。たとえば、ボルトおよびナットによって連結してもよい。
【００５１】
奇数側集電接点６Ａを連結している連結ピン１８を第１連結ピン１８Ａとし、偶数側集電接点６Ｂを連結している連結ピン１８を第２連結ピン１８Ｂとする。第１連結ピン１８Ａは、奇数側集電接点６Ａと絶縁軸４とに共に絶縁軸４の径方向に挿通することにより、奇数側集電接点６Ａを絶縁軸４に取付けている。奇数側集電接点６Ａおよび絶縁軸４のそれぞれは、第１連結ピン１８Ａが挿通される第１ピン用孔を有している。
【００５２】
第２連結ピン１８Ｂは、偶数側集電接点６Ｂと絶縁軸４とに共に絶縁軸４の径方向に挿通することにより、偶数側集電接点６Ｂを絶縁軸４に取付けている。偶数側集電接点６Ｂおよび絶縁軸４のそれぞれは、第２連結ピン１８Ｂが挿通される第２ピン用孔を有している。
【００５３】
このように集電接点６と絶縁軸４とを取付けることにより、集電接点６を絶縁軸４の所定の位置に精度良くかつ容易に取付けることができる。また、集電接点６が絶縁軸４の周方向に回転することを防ぐことができる。
【００５４】
本実施形態においては、連結ピン１８を用いることにより集電接点６を絶縁軸４に容易にかつ安定して取付けることができる。また、集電接点６のピン用孔を、集電接点６の中心部において絶縁軸４の長手方向に延在する突出部に設けるた。このようにすることにより、集電接点６の最も外側の側面にピン用孔を設けた場合に比べて、連結ピン１８の長さを短くすることができる。その結果、集電接点６の絶縁軸４への取付が容易になると共に、材料コストを低減することができる。
【００５５】
本実施形態においては、絶縁軸４をガラス繊維強化プラスチックで形成しているため、絶縁軸４を軽量化しつつ高強度にしている。
【００５６】
図５は、本実施形態に係る入力線の構造を模式的に示す断面図である。図５に示すように、入力線１１には、導体からなる導通部２１に絶縁性材料で被覆を行なう構造を用いた。具体的には、導通部２１をクレープ紙などの絶縁紙２２と絶縁性の樹脂材料からなる絶縁チューブ２３で被覆した。このように、導通部２１を被覆することにより高い絶縁性能を得ることができるため、絶縁距離を確保しつつ、集電接点６の孔部１９の内側面と入力線１１の外側面との間の空間距離を短くすることができる。その結果、絶縁軸４の外側面に沿って入力線１１を配置できるようになり、外部から組立状態を直接確認できるようになった。なお、被覆に用いる絶縁性材料は、クレープ紙または樹脂材料に限られない。
【００５７】
本実施形態によれば、入力線１１を絶縁軸４の外側面に沿って配置して集電接点６の接続端子１０に接続するため、絶縁筒の内側に配置した場合に比べて作業性が向上する。また、直接外部から組立状態の確認を容易に行なえるようになる。
【００５８】
入力線１１と集電接点６との取付け構造を簡易化したことで接続する部品の部品点数を低減することができる。その結果、負荷時タップ切換器１の組立作業が容易となり、負荷時タップ切換器１の組立コストを削減することができる。
【００５９】
なお、上記の負荷時タップ切換器１のタップ選択器３は、切換開閉器２に接続されることなく、無電圧タップ切換器として使用することも可能である。
【００６０】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６１】
１  負荷時タップ切換器、２  切換開閉器、３  タップ選択器、４  絶縁軸、５  ゼネバギア機構部、６  集電接点、７  可動接点、８  可動接点用軸、９  固定接点、１０  接続端子、１１  入力線、１２  上部フレーム、１３  下部フレーム、１４  切換開閉器端子、１５  副切換器、１６  タップリード、１７  固定接点用軸、１８  連結ピン、１９  孔部、２０  巻線、２１  導通部、２２  絶縁紙、２３  絶縁チューブ。
【図１】
2011187889.tif 000003
【図２】
2011187889.tif 000004
【図３】
2011187889.tif 000005
【図４】
2011187889.tif 000006
【図５】
2011187889.tif 000007